(57)【要約】      （修正有）【課題】少なくとも５種類以上のの運動機能を備え、病弱者、身障者、高齢者のソフトな運動から健常者のハードな運動まで、体調や体質に合わせて自己調整をしながらマイペースで多種の運動ができる座椅子兼室内用運動具を提供する。【解決手段】通常は座椅子として使用する形状ではあるが先端部にストッパー部２を具備した座板部１を中央に設け、後部に腰当て兼用の反り返り用台座を設置し、台座中央部には懸垂用のストレッチバー４ｂと背あて兼枕４ｓを備えたストレッチアーム部４は、必要な運動の種類に合わせて角度を３段階とフリーに調整ができるリクライニング機能を設けた。また、リクライニングをフリーにしてストレッチアーム部４と座板部を半分に折り畳むことができるように構成する。【選択図】図４
2014161718.tif 000002
【特許請求の範囲】
【請求項１】
少なくても５種類以上の室内運動ができる様構成された座椅子兼運動具であって、反り返り運動をするためのストレッチ台座部とストッパー部とリクライニング機能とを備えた座板部と、懸垂、ベンチプレス及びブリッジ運動を行うための中央部に枕と兼用できる背あてとストレッチ用バーとを備え、必要に応じて５段階の用途別角度調整ができるストレッチアーム部とで構成され、折り畳んで収納、移動が容易にできることを特徴とする座椅子型運動具。
【請求項２】
請求項１に記載するストレッチアーム部を備え、５段階のリクライニングポジションを操作する為のストレッチ台座であって、座椅子として使用する場合の腰当てと、反り返り運動を行うための背あて台と枕に併用する目的で、表面に２５ｍｍ厚の硬質ウレタン材と２０ｍｍ厚の軟質ウレタン材を用い、高さ２４ｃｍ、上幅１５ｃｍ、底部２５ｃｍ×４５ｃｍの台型で構成されたことを特徴とする請求項１に記載の座椅子型運動具。
【請求項３】
請求項１に記載する前方にストッパー部と後方にストレッチ台座を備えた座板部であって、ベッドや座敷で使用した場合の対策を考慮し、座板部には少なくても２０ｍｍ厚のウレタン材を使用し、表面から裏面には革、又は合成皮若しくは織物素材で覆い形成され、また、前方に備えたストッパー部には竹踏みや、踵立ちができるよう高さ６０ｍｍ幅５０ｍｍのサイズにして、上部には衝撃吸収処理を施して構成されたことを特徴とする請求項１に記載の座椅子型運動具。
【請求項４】
請求項１に記載するストレッチアーム中央部の位置にセットされた背あて兼枕及び腹筋運動中の足の固定用として形成された背あて部であって、幅１７０ｍｍで表面上部には３５ｍｍ下部と裏面には２５ｍｍの硬質ウレタンホームを使用し、表面を上記素材で仕上げ、取り付け方法は２本の上記記載のストレッチアーム中央内側に溝を設け、両方のアームでさみ付けて組み付け、破損した場合を考慮して釘類、ビスなどを使用せず接着剤若しくは溶接で固定し、形成されたことを特徴とする請求項１に記載の座椅子型運動具。
【請求項５】
少なくても５種類以上の運動ができて、各種のストレッチングを快適に行うための請求項１に記載するストレッチアーム上部にセットされた直径３０ｍｍの円形で棒状のストレッチバーであって、加重強度を保つ目的で、ストレッチアーム双方の内側に深さ１０ｍｍの穴を掘り、双方のストレッチアームで挟み込んで形成し、懸垂、ベンチプレスなどの運動を行った場合、相当の重量や使用頻度を鑑み、耐久性と使用感を重視して構成されたことを特徴とする請求項１に記載の座椅子型運動具。
【発明の詳細な説明】
【技術分野】
【０００１】  本発明は、特に身障者、高齢者、病人、肥満体などの人を対象とした日常の運動不足を補い、筋肉を付け、健康を維持するためのソフトからハードな複数の運動ができる座椅子型運動具に関するものである。
【背景技術】
【０００２】  従来の座椅子を利用した健康具は、座椅子に腹筋運動や背筋が伸びる、などの運動機能を付加して構成されたものがある。【０００３】  また上記の技術は通常の座椅子形態であって、例えば身障者や病弱者がベッドの上で使用した場合、折り畳め、コンパクトに収納でき、片手で簡単に持ち上げて移動ができる形状ではなかった。【０００４】  また、前記座椅子状の運動具は腹筋を鍛える目的で構成された以外には特別な手段は見られず（特許文献１）に関しては、電動式であった。
【先行技術文献】
【特許文献】
【０００５】
【特許文献１】特許公開２００７−２３６８３８
【非特許文献】
【０００６】
【非特許文献１】インターネット通信販売、ミズノ腹筋座椅子、腹筋くん
【非特許文献２】インターネット通信販売、健康ストレッチ座椅子
【発明の概要】
【発明が解決しようとする課題】
【０００７】  しかしながら、従来の技術にあっては、腹筋運動ができる、前記特許公開２００７−２３６８３８は電動式で背筋が伸びるなどの機能を備えた座椅子としての用途であって、電動装置などを使用せず各種の形状に変化して例えば、腹筋、ベンチプレス、懸垂、反り返り、ブリッジなど複数の、運動ができる機能は備えて居らず、弱者や高齢者の室内運動を優先した運動用具が座椅子にも使えるという技術ではなかった。【０００８】  また、病弱者や高齢者がベッドでソフトに使用する場合から運動する人の本格的トレーニング効果、さらにダイエット効果などの他コンパクト収納や簡単な移動手段にも課題があり、弱者にはリスクを伴うものであった。
【課題を解決するための手段】
【０００９】  本発明は以上の様な従来の欠点を鑑み、少なくとも５種類以上の運動機能を備え、病弱者、身障者、高齢者のソフトな運動から健常者のハードな運動まで、体調や体質に合わせて自己調整をしながらマイペースで多種の運動ができる事を基本目的として構成し、通常は座椅子として使用する形状ではあるが、先端部にストッパーを具備した座板を中央に設け後部に腰当て兼用の反り返り用台座を設置し台座中央部には懸垂用のストレッチバーと背もたれを備えたストレッチアームは必要な運動の種類に合わせ角度を３段階とフリーに調整ができるリクライニング機能を設けてある。また、リクライニングをフリーにしてストレッチアーム部と座板部とを半分に折り畳むことができるように構成され、通常の体型の人であれば室内で多種の運動ができることを特徴とした座椅子型運動具の提供である。【００１０】    上記の目的を達成するために第一の発明は、少なくても５種類以上の室内運動ができる様構成された座椅子兼運動具であって、反り返り運動をするためのストレッチ台座部とストッパー部とリクライニング機能とを備えた座板部と、懸垂、ベンチプレス及びブリッジ運動を行うための中央部に枕と兼用できる背あてとストレッチ用バーとを備え、必要に応じて５段階の用途別角度調整ができるストレッチアーム部とで構成され、折り畳んで収納、移動が容易にできることを特徴とする座椅子型運動具の提供である。【００１１】  第２の発明は、段階のリクライニングポジションを操作する為のストレッチ台座であって、座椅子として使用する場合の腰当てと、反り返り運動を行うための背あて台と枕に併用する目的で、表面に２５ｍｍ厚の硬質ウレタン材と２０ｍｍ厚の軟質ウレタン材を用い、高さ２４ｃｍ、上幅１５ｃｍ、底部２５ｃｍ×４５ｃｍの台型で構成されたことを特徴とする請求項１に記載の座椅子型運動具の提供である。【００１２】  第３の発明は、前方にストッパー部と後方にストレッチ台座を備えた座板部であって、ベッドや座敷で使用した場合の対策を考慮し、座板部には少なくても２０ｍｍ厚のウレタン材を使用し、表面から裏面には革、又は合成皮若しくは織物素材で覆い形成され、また、前方に備えたストッパー部には竹踏みや、踵立ちができるよう高さ６０ｍｍ幅５０ｍｍのサイズにして、上部には衝撃吸収処理を施して構成されたことを特徴とする請求項１に記載の座椅子型運動具の提供である。【００１３】  第４の発明は、ストレッチアーム中央部の位置にセットされた背あて兼枕及び腹筋運動中の足の固定用として形成された背あて部であって、幅１７０ｍｍで表面上部には３５ｍｍ下部と裏面には２５ｍｍの硬質ウレタンホームを使用し、表面を上記素材で仕上げ、取り付け方法は２本の上記記載のストレッチアーム中央内側に溝を設け、両方のアームでさみ付けて組み付け、破損した場合を考慮して釘類、ビスなどを使用せず接着剤若しくは溶接で固定し、形成されたことを特徴とする請求項１に記載の座椅子型運動具の提供である。【００１４】  第５の発明は、少なくても５種類以上の運動ができて、各種のストレッチングを快適に行うための請求項１に記載するストレッチアーム上部にセットされた直径３０ｍｍの円形で棒状のストレッチバーであって��加重強度を保つ目的で、ストレッチアーム双方の内側に深さ１０ｍｍの穴を掘り、双方のストレッチアームで挟み込んで形成し、懸垂、ベンチプレスなどの運動を行った場合、相当の重量や使用頻度を鑑み、耐久性と使用感を重視して構成されたことを特徴とする請求項１に記載の座椅子型運動具の提供である。
【発明の効果】
【００１５】  上記発明の説明から明らかなように次に列挙する効果が得られる。
１．発明５，で構成されたストレッチアーム部先端に設けたストレッチバーであって、座椅子の状態でこのバーをにぎり、足を伸ばして身体を持ち上げるように力を加える事により、軽い懸垂運動ができて背を伸ばす効果と肩こり緩和などの効果が得られる。【００１６】２．更にリクライニング機能でポジション２にセットし、伸ばした足を１０ｃｍ程度上げ上記運動を行った場合、上記運動の一段階上のハードな足上げ懸垂運動及びストレッチバーを持ち上げる様に力を上方に加えるとベンチプレス運動の効果もある。【００１７】３．さらにポジション２でストレッチバーをにぎり、座板前方のストッパー部に足裏を付けて反り返った場合はハードなブリッチ運動効果となる。【００１８】４．前記１．から３で行う同様の運動を数回繰り返し行った場合、更に運動効果が強化され、背筋、腹筋、足腰の強化、さらに肩こり腰痛を緩和する効果を得ることができる。【００１９】５．なお、前記１、について詳しく説明すると、例えば、病弱の人や障害などがあって運動不足の人に対しても座位のままストレッチバーに掴まり、力を加えることにより血行の促進、ストレスの解消、筋肉増強効果があり、さらにベッドや寝床の上での使用もできるため、高齢者や入院時、療養中の人にも自分のペースで適度な運動をする事ができる。【００２０】６．また、座板の後方に設けられたストレッチ台座部は、普通の座椅子として使用する場合は腰当てと枕代わりになり、運動具として使用する場合は背あてとなり、２４ｃｍの適度な高さで形成されているため、リクライニングをフリー状態にして反り返り運動ができ、また本台座には３段階のリクライニング機能が設定されており運動の強度、種類を目的に会わせてセッティングする事ができる。【００２１】７、また、前記で示すストレッチアームの中央部に備えた背あて部は、通常の座椅子及び背伸び運動時に使用する場合、背あてと枕の役割で有るが、リクライニング３のポジションで反対向きになり背あて部の下に足を入れた場合、本格的な腹筋運動を行う事ができる上、さらに、前記ストレッチバーの下に足を入れて屈伸運動を行った場合はハードな腹筋強化の運動ができる。【００２２】８，また、前記座板部の先端に設けたストッパー突起部は運動時の身体の滑りを止め、座布団などのずれを防止する目的の他、踵立ちと竹踏みができ、更に、各運動時の足止め、臀部止めとなる。【００２３】９．上記に示す通り例えばストッパー部、ストレッチ台座部、背あて部は各運動時及び通常の座椅子部に使用した場合、一部位でマルチな応用ができる。【００２４】１０，座板部、ストレッチ台座部、ストレッチアーム部については、軽量化と強度及び収納や移動を容易にする目的のため、アルミ材などの軽金属を素材にすると尚良い。【００２５】１１，また、本発明の応用で、例えば身長１８０ｃｍ以上のＬＬ子供やＳサイズの人、高齢者や身障者向けに数種のサイズを設定し、またデザインについてもカラーバリエーションを豊富にして楽しんで運動ができるようにすると尚良い。
【図面の簡単な説明】
【００２６】
【図１】本発明を実施するためのリクライニングを倒し、座台と水平にした状態の平面図である。
【図２】本発明を実施するためのリクライニング展開図と回転軸の図である。
【図３】本発明を実施するための折り畳みを示す側面図と平面図である。
【図４】本発明を実施するための装置及び構成の斜視図である。
【図５】本発明を実施するための使用形態図である。
【発明を実施するための形態】
【００２７】  以下本発明の形態を図に基づいて説明する
【実施例１】
【００２８】  実施形態を示す図１は、座椅子の背もたれを倒した状態、要するにリクライニングをフリーにした場合の平面図であって、ウレタン材でクッション部５が施された座板１の前端に身体や座布団などがずれない様にするためと、この突起を利用して竹踏み、踵立ち運動ができる幅４ｃｍ高さ５ｃｍの突起部であって、上面にクッション５を施したストッパー部２が設けられており、後部にはリクライニング機能とストレッチアーム部４を連結し、操作できる機能を備えクッション部５を施したストレッチ台座部３を設置し、反り返り運動をすることができる。また、ストレッチアーム部３にはクッション部５を施し、背あて兼枕として使用できる背あて兼枕４ｓと、押し上げればベンチプレス、身体を引き上げれば懸垂運動ができるストレッチバー４ｂと各リクライニングポジションｐを固定するポジション固定ピン４ｐとで構成された、本発明全体を示す平面構成図である。
【実施例２】
【００２９】  実施形態を示す図２は、通常の座椅子状態にした形態と運動機能を有効にするためのストレッチアーム部４とストレッチ台座部３であって、リクライニングポジションｐで座椅子時や各運動時、収納時などの最適角度に会わせてｐ１からｐ５迄の状態を示すリクライニング展開の側面図と１．２．３のポジションｐを設定する為のポジション固定ピン４ｐと回転軸４ｒの設置構造図である。
【実施例３】
【００３０】  実施形態を示す図３は、例えば、ベッドで使用した場合、収納、移動をスムーズにするため、コンパクトにして携帯できる様ストレッチアーム部４をリクライニングポジションｐ５の状態にセットし、折り畳んだ形態を示す直立した形態の側面図と表面図である。
【実施例４】
【００３１】  実施形態を示す図４は、座板部１、ストレッチアーム部４、とストレッチバー４ｂを木材又は軽金属若しくは樹脂素材を使用し、クッション部５にはチップウレタン、軟質、硬質ウレタン材を使用し、表面はレザー又は合成革及び各種の織物素材を施した座板部１、ストレッチ台座部３、背あて兼枕４ｓとで構成された完成斜視図である。
【実施例５】
【００３２】  実施形態を示す図５は、各リクライニングポジションｐを使って本発明の各種の用途を示す使用図であって、５ａはリクライニングポジションｐ１，またはｐ２にセッティングして、足を上げてストレッチバー４ｂにつかまり、腹部を凹ませて背筋を伸ばし、腰部及び腹筋を鍛えるための足上げ懸垂運動をする使用形態図である。
また、５ｂはリクライニングポジションをｐ４にセットして、ストレッチ台座部３に背中の部分をあて、反り返り運動を行う使用形態図である。
また、５ｃはリクライニングポジション３ｐを使い、反対向きでストレッチアーム４に設置された背あて兼枕４ｓの下に足を入れてソフトな腹筋運動を行い、更にストレッチバー４ｂに足を入れた場合はハードな腹筋運動が行うことのできる使用形態図である。
また、５ｄはリクライニングポジションを３ｐにセットしてブリッチ運動の形態図である。
また、５ｅはリクライニングポジション１または２にセッティングし、通常座椅子として用途の使用形態図である。
【産業上の利用可能性】
【００３３】  本発明の座椅子型運動具は健康ランド、スポーツジム、病院や福祉施設の他健康用品、運動用品を製造する企業などグローバルな産業利用が見込まれる。
【符号の説明】
【００３４】１，座板部
２，ストッパー部
３，ストレッチ台座部
４，ストレッチアーム部
５，クッション部
ｐ、リクライニングポジション
４ｐ、ポジション固定ピン
４ｓ、背あて兼枕
４ｂ、ストレッチバー
４ｒ、回転軸
５ａ、足上げ懸垂運動
５ｂ、反り返り運動
５ｃ、腹筋運動
５ｄ、ブリッジ運動
５ｅ、座椅子
ｐ１，角度１１５°の第１ポジション
ｐ２、角度１３０°の第２ポジション
ｐ３，角度１５０°の第３ポジション
ｐ４，角度１７０°フリー状態の第４ポジション
ｐ５，角度２０°フリー状態の第５ポジション
【図１】
2014161718.tif 000003
【図２】
2014161718.tif 000004
【図３】
2014161718.tif 000005
【図４】
2014161718.tif 000006
【図５】
2014161718.tif 000007